(57)【要約】本開示は、情報を提供する方法、ウェブサーバおよびウェブブラウザを開示する。情報を提供する本方法は、ユーザのウェブページアクセス要請を受け取ることに応答して、ウェブサーバによって、ユーザが閲覧することを要請するウェブページに対応する第１の製品情報と関連する第２の製品情報の属性情報を取得することと、この属性情報を満足させる第２の製品情報を見出すことと、ウェブページブラウザが、ユーザに提供するために、受け取られた第２の製品情報をウェブページに含めるために、見出された第２の製品情報をユーザによって使用されるウェブブラウザに送ることと、を含む。本開示の技術的計画は、電子商取引ウェブサイト内のユーザによる反復して実施される活動（検索、クリック、閲覧等）、およびそれによる、既存技術の下での電子商取引ウェブサイトの比較的大量の処理資源の浪費の問題を解決する。
2015518609.tif 000002
【特許請求の範囲】
【請求項１】
情報を提供する方法であって、
ユーザのウェブページアクセス要請を受け取ることに応答して、ウェブサーバによって、前記ユーザが閲覧を要請するウェブページに対応する第１の製品情報と関連する第２の製品情報の属性情報を取得することと、
前記属性情報を満足させる第２の製品情報を見出すことと、
前記見出された第２の製品情報を前記ユーザによって使用されるウェブブラウザに送ることと、を含む、方法。
【請求項２】
前記第２の製品情報の前記属性情報を取得することは、
前記第１の製品情報の情報識別子に基づき、情報識別子と前記属性情報との間の事前に記憶された対応関係において、前記第１の製品情報と関連する前記第２の製品情報の前記属性情報を検索することを含む、請求項１に記載の方法。
【請求項３】
前記第１の製品情報と関連する前記第２の製品情報の前記属性情報を検索する前に、
前記ウェブサーバによって前記ユーザのユーザ情報を取得することと、
前記取得したユーザ情報が照合結果の提示のための命令を含むかどうかを判定することと、
判定結果が肯定的の場合は、前記ウェブサーバは、前記第１の製品情報と関連する前記第２の製品情報の前記属性情報を検索することと、をさらに含む、請求項２に記載の方法。
【請求項４】
前記見出された第２の製品情報を前記ユーザによって使用される前記ウェブブラウザに送る前に、前記ウェブサーバによって、前記ユーザが閲覧を要請する前記ウェブページを検索することをさらに含み、
前記見出された第２の製品情報を前記ユーザによって使用される前記ウェブブラウザに送ることは、
前記ウェブサーバによって、前記見出された第２の製品情報を、前記ユーザによって使用される前記ウェブブラウザへ送られる前記見出されたウェブページに含めることを含む、請求項２に記載の方法。
【請求項５】
前記第２の製品情報の前記属性情報を取得する前に、
前記ユーザが閲覧することを要請する前記ウェブページを検索することと、
前記見出されたウェブページを前記ユーザによって使用される前記ウェブブラウザに送ることと、をさらに含む、請求項１に記載の方法。
【請求項６】
前記第２の製品情報の前記属性情報を取得することは、
前記ウェブブラウザから照合要請を受け取ることと、
前記照合要請内に含まれる前記情報識別子に基づき、情報識別子と前記属性情報との間の事前に記憶された対応関係における、前記第１の製品情報と関連する前記第２の製品情報の前記属性情報を検索することと、を含む、請求項５に記載の方法。
【請求項７】
前記第２の製品情報の前記属性情報を取得することは、
前記ウェブブラウザから照合要請を受け取ることと、
情報識別子間の事前に記憶された対応関係において、事前に設定された属性の属性識別子および、前記第１の製品情報と関連する前記第２の製品情報に関する以前に選択された選択可能属性値を検索することであって、前記事前に設定された属性の前記属性識別子および前記事前に設定された属性の前記選択可能属性値は、前記照合要請に含まれる前記情報識別子に基づいている、検索することと、
前記属性識別子および前記選択可能属性値を前記ウェブブラウザに送ることと、を含む、請求項５に記載の方法。
【請求項８】
前記見出された第２の製品情報を前記ユーザによって使用される前記ウェブブラウザに送ることは、
前記見出された第２の製品情報の各片に対応するそれぞれの推薦レベルを前記ウェブサーバによって別々に判定することと、
前記見出された第２の製品情報の各片から、事前に設定された条件を満足させる推薦レベルを有する１片の第２の製品情報を選択することと、
第２の製品情報の前記選択された片を、前記ウェブページサーバによって、前記ユーザによって使用される前記ウェブブラウザへ送ることと、を含む、請求項５に記載の方法。
【請求項９】
前記事前に設定された条件は、
指定されたしきい値を下回らない推薦レベルを有する１片の第２の製品情報、または
それぞれの推薦レベルの降順に従って取りまとめた後の、既定の数の最初のＮ個の第２の製品情報片、を含む、請求項８に記載の方法。
【請求項１０】
ウェブサーバであって、
ユーザのウェブページアクセス要請を受け取るために使用されるウェブページアクセス要請受け取りユニットと、
前記ウェブページアクセス要請受け取りユニットが、前記ユーザの前記ウェブページアクセス要請を受け取った後、前記ユーザが閲覧を要請するウェブページに対応する第１の製品情報と関連する第２の製品情報の属性情報を取得するために使用される、属性情報入手ユニットと、
前記属性情報入手ユニットによって取得される前記属性情報を満足させる第２の製品情報を検索するために使用される、情報検索ユニットと、
前記情報検索ユニットによって見出された第２の製品情報を前記ユーザによって使用されるウェブブラウザに送るために使用される、情報送りユニットと、を備える、ウェブサーバ。
【請求項１１】
前記属性情報入手ユニットは、前記ユーザが閲覧を要請する前記ウェブページに対応する前記第１の製品情報の情報識別子に基づき、情報識別子と属性情報との間の事前に記憶された対応関係において、前記第１の製品情報と関連する前記第２の製品情報の前記属性情報を検索するためにさらに使用される、請求項１０に記載のウェブサーバ。
【請求項１２】
前記属性情報入手ユニットが、前記第１の製品情報と関連する前記第２の製品情報の前記属性情報を検索する前に、前記ユーザのユーザ情報を取得するために使用される、ユーザ情報入手ユニットと、
前記ユーザ情報入手ユニットによって取得された前記ユーザ情報が、照合結果の提示のための命令を含むかどうかを判定するために使用される、命令情報判定ユニットと、
前記命令情報判定ユニットの判定結果が肯定的の場合は、前記第１の製品情報と関連する前記第２の製品情報の前記属性情報を検索する前記行為を実施するために具体的に使用される前記属性情報入手ユニットと、をさらに備える、請求項１０に記載のウェブサーバ。
【請求項１３】
前記情報送りユニットが、前記情報検索ユニットによって見出された前記第２の製品情報を、前記ユーザによって使用される前記ウェブブラウザに送る前に、前記ユーザが閲覧を要請する前記ウェブページを検索するために使用される第１のウェブページ検索ユニットをさらに含み、前記情報送りユニットは、前記情報検索ユニットによって見出された前記第２の製品情報を前記ユーザによって使用される前記ウェブブラウザに送信されることが前記第１のウェブページ検索ユニットによって見出された前記ウェブページに含めるためにさらに使用される、請求項１０に記載のウェブサーバ。
【請求項１４】
前記属性情報入手ユニットが、前記ウェブページに対応する前記第１の製品情報と関連する前記第２の製品情報の前記属性情報を取得する前に、前記ユーザが閲覧を要請する前記ウェブページを検索するための、第２のウェブページ検索ユニットと、
前記第２のウェブページ検索ユニットにより見出された前記ウェブページを、前記ユーザにより使用される前記ウェブブラウザに送るために使用されるウェブページ送りユニットと、
前記第１の製品情報の情報識別子を含む照合要請を、前記ウェブブラウザから受け取るために使用される、照合要請受け取りユニットと、をさらに備える、請求項１０に記載のウェブサーバ。
【請求項１５】
前記照合要請受け取りユニットが前記ウェブブラウザから前記照合要請を受け取った後、前記属性情報入手ユニットは、前記照合要請に含まれる前記情報識別子に基づき、前記情報識別子と前記属性情報との間の事前に記憶された対応関係において、前記第１の製品情報と関連する前記第２の製品情報の前記属性情報を検索するためにさらに使用される、請求項１４に記載のウェブサーバ。
【請求項１６】
前記属性情報入手ユニットは、
前記照合要請受け取りユニットが前記ウェブブラウザから前記照合要請を受け取った後、前記照合要請に含まれる前記情報識別子に基づき、前記情報識別子、前記事前に設定された属性の前記属性識別子、および前記事前に設定された属性の選択可能属性値間の事前に記憶された対応関係において、前記事前に設定された属性の属性識別子と前記第１の製品情報と関連する前記第２の製品情報の以前に選択された選択可能属性値を検索するために使用される、選択可能属性値検索サブユニットと、
属性識別子および選択可能属性値検索サブユニットによって見出された選択可能属性値をウェブブラウザに送るために使用される、選択可能属性値送りサブユニットと、
前記事前に設定された属性の前記属性識別子と前記ユーザによって選択される属性値との間の対応関係を、前記ウェブブラウザから受け取るために使用される、属性情報受け取りサブユニットと、を備える、請求項１４に記載のウェブサーバ。
【請求項１７】
前記情報送りユニットは、
前記情報検索ユニットによって見出された前記第２の製品情報の各片に対応するそれぞれの推薦レベルを判定するために使用される、推薦レベル判定サブユニットと、
前記情報検索ユニットによって見出された前記第２の製品情報の各片から、前記推薦レベル判定サブユニットによって事前に設定された条件を満足させると判定された前記それぞれの推薦レベルを有する前記第２の製品情報片を選択するために使用される、情報選択サブユニットと、
前記情報選択サブユニットによって選択された前記第２の製品情報の前記片を、前記ユーザによって使用される前記ウェブブラウザに送るための情報送りサブユニットと、を含む、請求項１０に記載のウェブサーバ。
【請求項１８】
ウェブブラウザであって、
ユーザが閲覧を要請するウェブページに対応するウェブサーバから、属性情報を受け取るために使用される情報受け取りユニットであって、前記属性情報は、前記ウェブページに対応する第１の製品情報と関連する第２の製品情報の属性情報である、情報受け取りユニットと、
前記情報受け取りユニットによって受け取られる前記第２の製品情報を、前記ユーザに提供するために前記ウェブページに含めるために使用される、情報提供ユニットと、を備える、ウェブブラウザ。
【請求項１９】
前記情報受け取りユニットが前記属性情報を前記ウェブサーバから受け取る前に、前記ユーザが閲覧を要請する前記ウェブページを前記ウェブサーバから受け取るために使用される、ウェブページ受け取りユニットと、
前記ウェブページ受け取りユニットによって受け取られる前記ウェブページを前記ユーザに提供するために使用される、ウェブページ提供ユニットと、
前記ウェブページに対応する前記第１の製品情報と関連する前記第２の製品情報が前記ユーザに提示されることが必要かどうかを判定するために使用される、表示判定ユニットと、
前記表示判定ユニットが、前記ウェブページに対応する前記第１の製品情報と関連する前記第２の製品情報が前記ユーザに提示されることが必要であると判定するとき、前記第１の製品情報の前記情報識別子を前記ウェブサーバに送られる照合要請に含めるために使用される、照合要請送りユニットと、をさらに備える、請求項１８に記載のウェブブラウザ。
【請求項２０】
前記情報受け取りユニットが前記ウェブページサーバから前記属性情報を受け取る前に、前記ウェブページサーバから属性識別子および対応する選択可能属性値を受け取るために使用される、属性受け取りサブユニットと、
前記属性受け取りサブユニットによって受け取られる、前記属性識別子と前記選択可能属性値との間の対応関係を、前記ユーザに提供するために使用される、属性提供サブユニットと、
ユーザによって選択される属性値を、各事前に設定された属性についてそれぞれの選択可能属性値から取得するために使用される、属性入手サブユニットと、
前記事前に設定された属性の前記属性識別子と前記ユーザによって選択される前記属性値との間の対応関係を、前記第１の製品情報と関連する前記第２の製品情報の前記属性情報として、前記ウェブサーバに送るために使用される、属性送りサブユニットと、をさらに備える、請求項１８に記載のウェブブラウザ。
【発明の詳細な説明】
【技術分野】
【０００１】
関連特許出願の相互参照
この出願は「Ｍｅｔｈｏｄ，Ｗｅｂ  Ｓｅｒｖｅｒ  Ａｎｄ  Ｗｅｂ  Ｂｒｏｗｓｅｒ  ｏｆ  Ｐｒｏｖｉｄｉｎｇ  Ｉｎｆｏｒｍａｔｉｏｎ」という名称の２０１２年４月１３日に出願された中国特許出願第２０１２１０１０９４２７．６号に対して外国優先権を主張し、参照によってその全体がここに組み込まれる。
【０００２】
本開示はインターネット情報処理技術の分野に関連し、特に、情報を提供する方法、ウェブサーバおよびウェブブラウザに関連する。
【背景技術】
【０００３】
電子商取引ウェブサイトは、ユーザに対し、オンラインで取引可能な製品の製品情報を提供する。ユーザは、電子商取引ウェブサイトにより提供される資金決済システムを通して製品を購買し得る。電子商取引ウェブサイトは、ユーザによって購買された製品を、物流配送システムを使用してユーザに送る。これはユーザの買い物の便利さを大きく改善する。
【０００４】
ユーザは、ウェブブラウザを通して、電子商取引ウェブサイト内の製品の製品情報を閲覧し得る。ユーザが製品を購買したいとき、彼／彼女は製品の製品情報ばかりでなく、製品と関連するいくつかの他の製品の製品情報にも興味をもち得る。そのケースでは、ユーザは、電子商取引ウェブサイトの大量の製品情報内で、製品と関連する他の製品の製品情報の検索を繰り返すことを必要とする。例えば、ユーザは電子商取引ウェブサイト内で携帯電話を購買したいかもしれない。ユーザは、携帯電話と関連する携帯電話ケースおよび携帯電話画面プロテクタ等の製品も購買したいかもしれない。そのケースでは、ユーザは、携帯電話に対応する製品情報を閲覧することばかりでなく、電子商取引ウェブサイト内で、携帯電話に関連する携帯電話ケースおよび携帯電話画面プロテクタ等の製品の製品情報の検索も必要とする。別の例では、ユーザは、青色セーターとこのセーターと関連する外着およびスカーフ等の製品を、電子商取引ウェブサイト内で購買したいかもしれない。そのケースでは、ユーザは、セーターに対応する製品情報を閲覧するばかりでなく、セーターに関連する外着およびスカーフ等の製品の製品情報も、電子商取引ウェブサイト内で検索する必要がある。
【０００５】
上に記述されたように、既存技術はユーザに対し、電子商取引ウェブサイトの大量の製品情報の中で、一定製品と関連する他の製品の製品情報を手動で検索することを必要とする。したがって、ユーザは、電子商取引ウェブサイト内で、検索、クリック、閲覧等の活動を繰り返し実施するかもしれず、それにより、電子商取引ウェブサイトの比較的大量の処理資源を浪費する。
【発明の概要】
【０００６】
本要約は、下の発明を実施するための形態にさらに記述されている単純化された形式で一連の概念を紹介するために提供されている。この発明の概要は、主張されている主題のあらゆる主要な特徴または重要な特徴を確認することは意図されておらず、主張されている主題の範囲を決定する上での支援として単独に用いられることも意図されていない。例えば用語「技法」は、上の文脈によって許されるところにより、また本開示を通して、デバイス、システム、方法、および／またはコンピュータ可読命令を参照し得る。
【０００７】
本開示の実施形態は、電子商取引ウェブサイト内でユーザによって繰り返し実施される活動（検索、クリック、閲覧等）およびそれによる、既存の技術の下での電子商取引ウェブサイトの比較的大量の処理資源の浪費の問題を解決するために、情報提供の方法、ウェブサーバおよびウェブブラウザを提供する。
【０００８】
以下は、本開示の実施形態の技術的計画を記述する。
【０００９】
情報提供方法は、ユーザのウェブページアクセス要請を受け取ることに応答して、ユーザが閲覧を要請するウェブページに対応する第１の製品情報と関連する第２の製品情報の属性情報をウェブサーバによって取得することと、属性情報を満足させる第２の製品情報を見出すことと、ウェブページブラウザが、ユーザへの提供のために、受け取られた第２の製品情報をウェブページに含めるために、見出された第２の製品情報をユーザによって使用されるウェブブラウザに送ることと、を含む。
【００１０】
ウェブサーバは、ユーザのウェブページアクセス要請を受け取るために使用されるウェブページアクセス要請受け取りユニットと、ウェブページアクセス要請受け取りユニットがユーザのウェブページアクセス要請を受け取った後に、ユーザが閲覧を要請するウェブページと対応する第１の製品情報に関連する第２の製品情報の属性情報を取得するために使用される属性情報入手ユニットと、属性情報入手ユニットによって取得される属性情報を満足させる第２の製品情報を見出すために使用される情報検索ユニットと、情報検索ユニットによって見出される第２の製品情報を、ユーザによって使用されるウェブブラウザへ送るために使用される情報送りユニットと、を含む。
【００１１】
ウェブブラウザは、ユーザが閲覧を要請するウェブページに対応するウェブサーバから属性情報であって、属性情報はウェブページに対応する第１の製品情報と関連する第２の製品情報の属性情報である、属性情報を受け取るために使用される情報受け取りユニットと、情報受け取りユニットによって受け取られた第２の製品情報を、ユーザに提供するために、ウェブページ内に含めるために使用される情報提供ユニットと、を含む。
【００１２】
本開示の実施形態の技術的計画において、ユーザのウェブページアクセス要請を受け取った後、ウェブサーバは、ユーザが閲覧を要請するウェブページに対応する第１の製品情報と関連する第２の製品情報の属性情報を最初に取得し、次に、属性情報を満足させる第２の製品情報を見出し、そして、ウェブページブラウザが受け取られた第２の製品情報をユーザに提供するように、ウェブページ内に含めるために、見出された第２の製品情報をユーザによって使用されるウェブブラウザに送る。上に記述されたように、ユーザが一定製品の製品情報を閲覧するとき、彼／彼女は、ユーザが製品と関連する他の製品の製品情報を閲覧することを望む場合、電子商取引ウェブサイトの大量の製品情報内で、製品と関連する他の製品の製品情報を手動で検索することを必要としない。むしろ、製品情報はウェブサーバによって見出され、そしてウェブブラウザに送られる、これは、ユーザへの提供のために、ウェブページ内の製品と関連する他の製品の見出された製品情報を含む。ユーザは、電子商取引ウェブサイト内での検索、クリック、閲覧等の活動を繰り返し実施することを阻止され、したがって、電子商取引ウェブサイトの比較的大量の処理資源を効果的に節約する。
【図面の簡単な説明】
【００１３】
【図１】本開示の第２の実施形態に従う、情報を提供する方法を図解するフローチャートである。
【図２】本開示の第３の実施形態に従う、ウェブサーバを図解する構造図である。
【図３】本開示の第４の実施形態に従う、ウェブブラウザを図解する構造図である。
【図４】図２に記述されるウェブサーバ例を図解する構造図である。
【発明を実施するための形態】
【００１４】
主要実装原理、具体的実装方法、および本開示の模範的実施形態の技術的計画の成就された有益な効果が、付随図と合わせて以下に詳細に記述される。
【００１５】
本開示の模範的実施形態は、第１の製品情報と関連する第２の製品情報の属性情報を追加するオフラインプロセス、および第１の製品情報と関連する第２の製品情報をユーザに提供するオンラインプロセスを含む。第１の製品情報と関連する第２の製品情報の属性情報を追加するオフラインプロセスは、以下に最初に記述される。
【００１６】
第１の実施形態
製品情報を電子商取引ウェブサイト内に公開するとき、製品情報の提供者ユーザは、この製品情報に関して、製品情報と関連する他の製品情報の属性情報を加え得る。したがって、製品情報と関連する他の製品情報は、提供者ユーザによって加えられた属性情報を満足させることを必要とされる。
【００１７】
本開示の第１の実施形態は、電子商取引ウェブサイトは前もって製品情報の属性からいくつかの事前に設定された属性を選択することを提案するが、各事前に設定された属性は多数の属性値に対応している。製品情報の提供者ユーザが製品情報を公開すると、選択された事前に設定された属性の属性識別子および対応する属性値が提供者ユーザに提示される。各事前に設定された属性について、提供者ユーザはその事前に設定された属性の属性値から、少なくとも１つの属性値を別々に選択する。
【００１８】
事前に設定された属性は、以下の属性の少なくとも１つ、これに限定されないが、を含み得る。
【００１９】
１．製品情報の提供者ユーザ属性。
この属性は、製品情報の提供者ユーザを定義する。製品情報を公開するとき、提供者ユーザは、その後の操作のために、彼自身／彼女自身によって提供された製品情報から関連した製品情報を見出すことを選択し得る。このケースでは、提供者ユーザは、「公表された製品情報および関連する製品情報は同一提供者ユーザに所属する」ことを表示する属性値を選択し得る。提供者ユーザが、その製品情報を公開するときに、その後の操作のために、電子商取引ウェブサイトのすべての製品情報から関連した製品情報を見出すことを選択する場合、提供者ユーザは、「関連した製品情報を提供する提供者ユーザに関する制限は存在しない」と表示する属性値を選択し得る。
【００２０】
２．製品情報のカテゴリ属性
電子商取引ウェブサイトにおいては、製品カテゴリはルートカテゴリおよび各ルートカテゴリの下のサブカテゴリを含み得る。例えば、電子商取引ウェブサイトのルートカテゴリは、「衣類」、「ハンドバッグおよびアクセサリ」、「デジタルおよび家庭器具」、「美容および理髪」等を含み得る。ルートカテゴリ「衣類」の下の第１レベルサブカテゴリは、「女性用衣類」、「男性用衣類」、「子供用衣類」等を含み得る。ルートカテゴリ「ハンドバッグおよびアクセサリ」の下の第１レベルサブカテゴリは、「ハンドバッグ」、「アクセサリ」、「宝石」等を含み得る。第１レベルサブカテゴリ「女性用衣類」の下の第２レベルカテゴリは、「上着」、「ズボン」、「スカート」等を含み得る。電子商取引ウェブサイト内の各製品は、少なくとも１つのカテゴリに対応する。例えば、一定製品は、ルートカテゴリ「衣類」、ルートカテゴリ「衣類」の下の第１レベルサブカテゴリ「女性用衣類」、および、第１レベルサブカテゴリ「女性用衣類」の下の第２レベルサブカテゴリ「上着」に対応し得る。
【００２１】
本開示の第１の実施形態では、各レベルのカテゴリに関する製品情報の属性は、製品情報のカテゴリ属性として集合的に参照される。各カテゴリ属性は少なくとも１つの属性値に対応する。例えば、ルートカテゴリのカテゴリ属性の属性値は、「衣類」、「ハンドバッグおよびアクセサリ」、「デジタルおよび家庭器具」、「美容および理髪」等を含み得る。第１レベルサブカテゴリのカテゴリ属性の属性値は、「女性用衣類」、「男性用衣類」、「子供用衣類」等を含み得る。
【００２２】
３．製品情報の製品タグ属性
電子商取引ウェブサイト内では、各製品情報片は「標的ユーザタグ」、「スタイルタグ」、「色タグ」等の少なくとも１つの製品タグに対応する。各製品タグ属性は、少なくとも１つの属性値に対応する。例えば、「標的ユーザタグ」の属性値は「男性」および「女性」を含み得、そして「スタイルタグ」の属性値は「韓国版」、「西洋スタイル」等を含み得る。
【００２３】
本開示の第１の実施形態は、事前に設定された属性の属性識別子と提供者ユーザによって事前に設定された属性について選択された属性値との間の対応関係が、公開された製品情報と関連する他の製品情報の属性情報として使用され得ることを提案する。提供者ユーザが製品情報を公表することを確認する場合、電子商取引ウェブサイトは、その中に製品情報を公開し、そして同時に、製品情報の情報識別子と、公開された製品情報と関連する他の製品情報の属性情報を記憶するが、これはすなわち、製品情報の情報識別子、事前に設定された属性の属性識別子、および提供者ユーザによって選択される属性値間の対応関係を記憶することである。
【００２４】
製品情報の情報識別子は、標準製品ユニット（ＳＰＵ）値、これに限らないが、を含み得る。
【００２５】
さらに、製品情報を公開するとき、提供者ユーザは、各事前に設定された属性について複数の属性値を選択し得、これはその事前に設定された属性に関する選択可能属性値として使用され得る。製品情報をその後に閲覧するユーザは、リアルタイムで、選択可能属性値から製品情報と関連する他の製品情報の属性値を選択し得る。このケースでは、提供者ユーザが製品情報を公開することを確認する場合、電子商取引ウェブサイトは、その中で製品情報を公開し、そして同時に、製品情報の情報識別子、事前に設定された属性の属性識別子、および提供者ユーザによって選択された選択可能属性値間の対応関係を記憶する。
【００２６】
本開示の第１の実施形態では、製品情報を公開するとき、製品情報の提供者ユーザは、前もって照合促進規則も設定し得、すなわち、ユーザが公開された製品情報および関連する製品情報を一度に購買するときの割引情報である。ウェブサーバは、製品情報の情報識別子と共に、対応して照合促進規則（設定された）を記憶する。
【００２７】
第２の実施形態
ユーザに対して第１の製品情報と関連する第２の製品情報を提供するオンラインプロセスが、以下に記述される。
【００２８】
図１は、本開示の第２の実施形態に従い、情報を提供する方法を図解するフローチャートを示す。プロセスは以下を含み得る。
【００２９】
ブロック１１において、ウェブサーバはユーザのウェブページアクセス要請を受け取る。
【００３０】
ウェブブラウザを使用してウェブページを閲覧することを望むとき、ユーザは閲覧されることが望まれるウェブページのアドレスをクリックする。ウェブブラウザは、そのウェブページのアドレスを、そのウェブページに対応するウェブサーバに送られるウェブページアクセス要請内に含める。
【００３１】
ブロック１２において、ウェブサーバは、ユーザが閲覧することを要請するウェブページに対応する第１の製品情報と関連する第２の製品情報の属性情報を取得する。
【００３２】
本開示の第２の実施形態では、ウェブサーバは、以下の四つの方法、これに限定されないが、を含む方法を使用して、ユーザが閲覧することを要請するウェブページに対応する第１の製品情報と関連する第２の製品情報の属性情報を取得し得る。
【００３３】
第１の入手方法：ウェブブラウザを使用してウェブページを閲覧することを望むとき、ユーザは閲覧されることが望まれるウェブページのアドレスをクリックする。ウェブブラウザは、そのウェブページのアドレスを、そのウェブページに対応するウェブサーバに送られるウェブページアクセス要請内に含める。ウェブサーバは、対応するウェブページを、ウェブページアクセス要請内に含められたアドレス情報に従って、ウェブページ内容提供サーバから見出し、ウェブページアクセス要請内に含まれるアドレス情報から、ユーザが閲覧を要請するウェブページに対応する第１の製品情報の情報識別子を抽出し、そして、第１の製品情報と関連する第２の製品情報の属性情報を、第１の製品情報の抽出された情報識別子に基づき、情報識別子と属性情報との間の事前に記憶された対応関係から検索する。
【００３４】
第２の入手方法：電子商取引ウェブサイトのユーザは、前もって、製品情報を閲覧するときに、照合情報を提示するかどうかを設定し得る。製品情報を閲覧中に、製品情報と関連する他の製品情報が提示されることをユーザが以前に設定した場合、電子商取引ウェブサイト内のユーザのユーザ情報は、照合結果の提示の命令を含み得る。ウェブブラウザを使用してウェブページを閲覧することを望むとき、ユーザは、閲覧が望まれるウェブページのアドレスをクリックする。ウェブブラウザは、そのウェブページのアドレスを、ウェブページに対応するウェブサーバに送られるウェブページアクセス要請内に含める。ウェブサーバは、対応するウェブページを、ウェブページアクセス要請に含まれるアドレス情報に従って、ウェブページ内容提供サーバから見出し、ユーザのユーザ情報を取得し、そして、取得されるユーザ情報が照合結果の提示に関する命令を含むかどうかを判定する。判定結果が肯定的の場合は、ウェブサーバは、ユーザは第１の製品情報と関連する第２の製品情報の閲覧を希望していることを確認する。このケースでは、ウェブサーバは、ウェブページアクセス要請内に含まれるアドレス情報から、ユーザが閲覧を要請するウェブページに対応する第１の製品情報の情報識別子を抽出し、そして、第１の製品情報の抽出された情報識別子に基づき、情報識別子と属性情報との間の事前に記憶された対応関係から、第１の製品情報と関連する第２の製品情報の属性情報を検索する。
【００３５】
第１の入手方法および第２の入手方法において、ユーザのウェブページアクセス要請を受け取った後、ウェブサーバは、ウェブページアクセス要請に含まれるアドレス情報に基づき、ユーザが閲覧を要請するウェブページを最初に見出し、次に、第１の製品情報と関連する第２の製品情報の属性情報を検索し得る。代替的に、ウェブサーバは、第１の製品情報と関連する第２の製品情報の属性情報を最初に検索し、次に、ユーザが閲覧を要請するウェブページを見出し得る。ウェブページを見出すことと、属性情報を検索することとの間の流れの順番には制限は存在しない。
【００３６】
第３の入手方法：ウェブブラウザを使用してウェブページを閲覧することを望むとき、ユーザは閲覧が望まれるウェブページのアドレスをクリックする。ウェブブラウザは、ウェブページのアドレスを、ウェブページに対応するウェブサーバに送られるウェブページアクセス要請内に含める。ウェブサーバは、対応するウェブページを、ウェブページアクセス要請に含まれるアドレス情報に従って、ウェブページ内容提供サーバから見出す。ウェブサーバは、見出されたウェブページを、ユーザによって使用されるウェブブラウザへ送る。ウェブブラウザは、ウェブサーバから送られたウェブページを、ユーザに提供する。その後、ウェブページに対応する第１の製品情報と関連する第２の製品情報は、ユーザに対して提示される必要があると判定すると、ウェブブラウザは、ウェブページのアドレス情報から、ウェブページに対応する第１の製品情報の情報識別子を抽出し、そして、第１の製品情報の抽出された情報識別子を、ウェブサーバに送られる照合要請内に含める。ウェブブラウザから照合要請を受け取ると、ウェブサーバは、第１の製品情報と関連する第２の製品情報の属性情報を、照合要請内に含まれる情報識別子に基づき、情報識別と属性情報との間の事前に記憶された対応関係から、検索する。
【００３７】
第４の入手方法：第１の製品情報を公開するとき、第１の製品情報の提供者ユーザは、各事前に設定された属性に関する複数の属性値を、その事前に設定された属性に関する選択可能属性値として別々に選択し得る。その後、第１の製品情報を閲覧するユーザは、リアルタイムで、各事前に設定された属性の複数の属性値から、第１の製品情報と関連する第２の製品情報の属性値を選択し得る。具体的には、ウェブブラウザを使用してウェブページを閲覧しているとき、ユーザは閲覧されることが望まれるウェブページのアドレスをクリックする。ウェブブラウザは、アドレス情報を、ウェブページに対応するウェブサーバに送られるウェブページアクセス要請内に含める。ウェブサーバは、ウェブページアクセス要請内に含まれるアドレス情報に基づき、対応するウェブページをウェブページ内容提供サーバ内に見出し、そして、見出されたウェブページを、ユーザによって使用されるウェブブラウザに送る。ウェブブラウザは、ウェブサーバから送られたウェブページを、ユーザに提供する。その後、ウェブページに対応する第１の製品情報と関連する第２の製品情報がユーザに対して提示されることが必要とされると判定すると、ウェブブラウザは、ウェブページのアドレス情報から、ウェブページに対応する第１の製品情報の情報識別子を抽出し、そして、第１の製品情報の抽出された情報識別子を、ウェブサーバに送られる照合要請内に含める。照合要請をウェブブラウザから受け取った後、ウェブサーバは、照合要請内に含まれる情報識別子に基づき、情報識別子、事前に設定された属性の属性識別子、および事前に設定された属性の選択可能属性値間の事前に記憶された対応関係から、各事前に設定された属性の属性識別子および、第１の製品情報と関連する第２の製品情報の選択可能属性値（以前に選択された）を検索する。ウェブサーバは、見出された属性識別子および選択可能属性値を、対応してウェブブラウザに送る。ウェブブラウザは、ユーザに対し、属性識別子と選択可能属性値との間の受け取られた対応関係を提供し、すなわち、属性識別子と選択可能属性値との間の対応関係をウェブページに表示する。ユーザは、各事前に設定された属性について、それぞれの選択可能属性値から少なくとも１つの属性値を選択し得、次に、その提出を確認し、それにより、ウェブブラウザが、各事前に設定された属性のそれぞれの選択可能属性値からユーザによって選択された属性値を取得することを許可する。ウェブブラウザは、事前に設定された属性の属性識別子と属性値（ユーザによってそれぞれの選択可能属性値から選択される）との間の対応関係を、第１の製品情報と関連する第２の製品情報の属性情報として、ウェブサーバに送る。
【００３８】
第４の入手方法において、ウェブブラウザは、それに限定されないが、属性識別子と属性値との間の受け取られた対応関係をポップアップウィンドウ内に置き、そしてそのポップアップウィンドウをウェブページに提示し得る。
【００３９】
第３の入手方法および第４の入手方法において、ウェブページに対応する第１の製品情報と関連する第２の製品情報がウェブブラウザによってユーザに対して提示される必要があるかどうかを判定する方法は、これに限定されないが、以下の２つの方法を含み得る。
【００４０】
第１の判定方法：ウェブページブラウザは、リアルタイムで、ウェブページ内のユーザのカーソル位置を監視する。ウェブページ内のユーザのカーソル位置が事前に設定された領域内に位置決めされることが検出された場合、ウェブブラウザは、ウェブページに対応する第１の製品情報と関連する第２の製品情報はユーザに対して提示される必要があると判定する。
【００４１】
第２の判定方法：ウェブブラウザによってユーザに対して提供されるウェブページは、照合結果の提示ボタンを含む。ユーザが照合結果の提示ボタンをクリックした場合（すなわち、ウェブブラウザはユーザの照合要請を受け取る）、ウェブブラウザは、ウェブページに対応する第１の製品情報と関連する第２の製品情報はユーザに対して提示される必要があると判定する。
【００４２】
ブロック１３において、ウェブサーバは、属性情報を満足させる第２の製品情報を検索する。
【００４３】
第２の製品情報を検索するとき、ウェブサーバは、事前に設定された属性の属性値が、取得された属性情報内に含まれる事前に設定された属性の属性値と同一である、製品情報を検索する。取得された属性情報の例は、以下の表に示される。
【００４４】
【表１】
2015518609.tif 000003
【００４５】
第２の製品情報を検索するとき、ウェブサーバは、第１の製品情報の提供者ユーザを最初に判定し、次に、提供者ユーザによって公開されたすべての製品情報の中で、第１レベルカテゴリ属性の属性値「衣類」を有する製品情報を検索する。見出された製品情報の中で、ウェブサーバは、第２レベルカテゴリ属性の属性値「女性の衣類」を有する製品情報を検索し、次に、第２レベルカテゴリ属性の属性値「女性の衣類」を有する見出された製品情報内で、スタイルタグの属性値「韓国版」または「西欧スタイル」を有する製品情報を検索する。終りにおいてウェブサーバによって見出される製品情報は、属性情報を満足させる第２の製品情報に対応する。
【００４６】
ブロック１４において、ウェブサーバは、見出された第２の製品情報を、ユーザによって使用されるウェブブラウザに送る。
【００４７】
第１の入手方法および第２の入手方法について、属性情報を満足させる第２の製品情報を見出した後、ウェブサーバは、見出された第２の製品情報を見出されたウェブページに含め、そしてウェブページをユーザによって使用されるウェブブラウザに送る。
【００４８】
第３の入手方法および第４の入手方法については、属性情報を満足させる第２の製品情報を見出した後、ウェブサーバは、見出された第２の製品情報を、直接、ユーザによって使用されるウェブブラウザに送り得る。
【００４９】
本開示の第２の実施形態では、ウェブサーバは、見出された第２の製品情報片のすべてをウェブブラウザに送るか、または、ウェブブラウザに送られる見出された第２の製品情報からいくつかの第２の製品情報片を選択し得る。具体的には、ウェブサーバは、見出されたすべての第２の製品情報片のそれぞれの推薦レベルを最初に判定し、見出された第２の製品情報の中から、事前に設定された条件を満足させる推薦レベルを有する第２の製品情報片（複数可）を選択し、そして、第２の製品情報の選択された片（複数可）をユーザによって使用されるウェブブラウザに送る。
【００５０】
上の事前に設定された条件が含むものは、それらに限定されないが、指定されたしきい値を下回らない第２の製品情報の推薦レベル、または、それぞれの推薦レベルの降順に従って取りまとめた後の、既定の数の最初のいくつかの第２の製品情報片である。
【００５１】
本開示の第２の実施形態では、第２の製品情報の推薦レベルを判定する方法は、それらに限定されないが、以下の方法を含み得る。第２の製品情報の各推薦属性について、その推薦属性に関する第２の製品情報の属性値を判定することと、その属性値に基づいて第２の製品情報の推薦レベルを判定することと、である。
【００５２】
例えば、第２の製品情報の推薦属性は、以下の属性の少なくとも１つを含み得る。すなわち、販売量属性、人気属性、積極的コメント属性、提供者ユーザ信用性属性、提供者ユーザ違反属性である。電子商取引ウェブサイトの製品情報がそれぞれの販売量の降順で取りまとめられた後、第２の製品情報が上位Ｎ番内に格付けされた場合は、販売量属性の属性値は１に設定され、そうでなければゼロに設定されるが、ここでＮは事前に設定された値である。電子商取引ウェブサイトの製品情報がそれぞれの人気値の降順で取りまとめられた後、人気属性の属性値は、第２の製品情報が上位Ｎ番内に格付けされた場合は、１に設定され、そうでなければゼロに設定される。積極的コメント属性の属性値は、第２の製品情報の積極的コメントの百分率として設定される。提供者ユーザ信用性属性の属性値は、第２の製品情報の提供者ユーザの信用性指標として設定される。第２の製品情報の提供者ユーザに関連する違反が存在する場合は、提供者ユーザ違反属性の属性値はゼロに設定される。各推薦属性について第２の製品情報の属性値を判定した後、ウェブサーバは、判定された属性値を足し合わせて合計を取得し得、これは第２の製品情報の推薦レベルである。
【００５３】
ブロック１５において、ウェブブラウザは、ユーザへの提供のために、受け取られた第２の製品情報片をウェブページに含める。
【００５４】
本開示の第２の実施形態では、第１の入手方法および第２の入手方法について、ウェブサーバは、これに限定されないが、見出された第２の製品情報を、ユーザによって使用されるウェブブラウザに送られる見出されたウェブページ内に含め、そして、ウェブブラウザはウェブページサーバから送られるウェブページを直接提示し得る。ウェブページは、第１の製品情報ばかりでなく、第１の製品情報と関連する第２の製品情報も含む。
【００５５】
第３の入手方法および第４の入手方法については、第２の製品情報をウェブサーバから受け取った後、ウェブブラウザは、これに限定されないが、受け取られた第２の製品情報をポップアップウィンドウ内に置き、そしてポップアップウィンドウをウェブページに提示し得る。
【００５６】
本開示の第２の実施形態において、第２の製品情報を見出すと、ウェブサーバは、第１の製品情報の提供者ユーザによって以前に設定された照合促進規則を、情報識別子と照合促進規則との間の対応関係内でも検索し得、ユーザが照合促進規則に基づいて一度に第１の製品情報と第２の製品情報を購買するときに割引情報を演算し、そして、演算された割引情報をウェブブラウザに送る。ウェブブラウザは、割引情報および第２の製品情報をユーザに提供する。
【００５７】
上のプロセスから分かるように、本開示の実施形態の技術的計画において、ユーザのウェブページアクセス要請を受け取った後、ウェブサーバは、最初に、ユーザが閲覧を要請するウェブページに対応する第１の製品情報と関連する第２の製品情報の属性情報を取得し、属性情報を満足させる第２の製品情報を検索し、そして、ウェブブラウザがユーザへの提供のために受け取られた第２の製品情報をウェブページに含めるために、見出された第２の製品情報をユーザによって使用されるウェブブラウザへ送る。上述からわかるように、一定製品の製品情報を閲覧するとき、ユーザが製品と関連する他の製品の製品情報を閲覧することを希望する場合は、電子商取引ウェブサイトの大量の製品情報内で、製品と関連する他の製品の製品情報を手動で検索する必要はない。むしろ、製品情報は、ウェブサーバによって見出され、そしてウェブブラウザに送られる。ウェブブラウザは、ユーザへの提供のために、製品と関連する他の製品の見出された製品情報をウェブページ内に含め、それにより、ユーザが電子商取引ウェブサイト内で繰り返し活動を実施（検索、クリック、閲覧、等）することを避け、そして、電子商取引ウェブサイトの比較的大量の処理資源を効果的に節約する。
【００５８】
さらに、ユーザはウェブブラウザを使用して製品情報を閲覧すると同時に、製品情報と関連する他の製品情報を閲覧し得るため、電子商取引ウェブサイト内でのユーザの買い物体験は改善され得る。
【００５９】
第３の実施形態
上に記述された情報提供の方法に対応して、本開示の第３の実施形態は、ウェブサーバを提供する。図２に示されているその構造は以下を含む。すなわち、
【００６０】
ユーザのウェブページアクセス要請を受け取るために使用される、ウェブページアクセス要請受け取りユニット２１と、
【００６１】
ウェブページアクセス要請受け取りユニット２１が、ユーザのウェブページアクセス要請を受け取った後、ユーザが閲覧を要請するウェブページに対応する第１の製品情報と関連する第２の製品情報の属性情報を取得するために使用される、属性情報入手ユニット２２と、
【００６２】
属性情報入手ユニット２２によって取得された属性情報を満足させる第２の製品情報を検索するために使用される、情報検索ユニット２３と、
【００６３】
情報検索ユニット２３によって見出された第２の製品情報を、ユーザによって使用されるウェブブラウザに送るために使用される、情報送りユニット２４と、である。
【００６４】
１つの実施形態では、属性情報入手ユニット２２は、ユーザが閲覧を要請するウェブページに対応する第１の製品情報の情報識別子に基づき、情報識別子と属性情報との間の事前に記憶された対応関係において、第１の製品情報と関連する第２の製品情報の属性情報を検索するために使用され得る。
【００６５】
いくつかの実施形態において、ウェブサーバがさらに含むのは、
【００６６】
属性情報入手ユニット２２が、第１の製品情報と関連する第２の製品情報の属性情報を検索する前に、ユーザのユーザ情報を取得するために使用される、ユーザ情報入手ユニットと、
【００６７】
ユーザ情報入手ユニットによって取得されるユーザ情報が照合結果の提示のための命令を含むかどうかを判定するために使用される、命令情報判定ユニットと、
【００６８】
命令情報判定ユニットの判定結果が肯定的の場合、第１の製品情報と関連する第２の製品情報の属性情報を検索する行為を実施するために使用される属性情報入手ユニット２２と、である。
【００６９】
１つの実施形態では、ウェブサーバがさらに含むのは、情報送りユニット２４が、情報検索ユニット２３によって見出された第２の製品情報を、ユーザによって使用されるウェブブラウザに送る前に、ユーザが閲覧することを要請するウェブページを検索するために使用される、第１のウェブページ検索ユニットと、
【００７０】
情報検索ユニット２３によって見出される第２の製品情報を、ユーザによって使用されるウェブブラウザへ送られる、第１のウェブページ検索ユニットによって見出されたウェブページに含めるために使用される、情報送りユニット２４と、である。
【００７１】
１つの実施形態において、ウェブサーバがさらに含むのは、
【００７２】
属性情報入手ユニット２２が、ウェブページに対応する第１の製品情報と関連する第２の製品情報の属性情報を取得する前に、ユーザが閲覧を要請するウェブページを検索するための第２のウェブページ検索ユニットと、
【００７３】
第２のウェブページ検索ユニットによって見出されるウェブページを、ユーザによって使用されるウェブブラウザに送るために使用されるウェブページ送りユニットと、
【００７４】
第１の製品情報の情報識別子を含む照合要請を、ウェブブラウザから受け取るために使用される照合要請受け取りユニットと、である。
【００７５】
いくつかの実施形態では、属性情報入手ユニット２２は、照合要請受け取りユニットがウェブブラウザから照合要請を受け取った後、照合要請内に含まれる情報識別子に基づき、情報識別子と属性情報との間の事前に記憶された対応関係において、第１の製品情報と関連する第２の製品情報の属性情報を検索するために使用され得る。
【００７６】
１つの実施形態では、属性情報入手ユニット２２が含むのは、
【００７７】
照合要請受け取りユニットがウェブブラウザから照合要請を受け取った後、照合要請に含まれる情報識別子に基づき、事前に設定された属性の属性識別子および、情報識別子、事前に設定された属性の属性識別子、および事前に設定された属性の選択可能属性値の間の事前に記憶された対応関係において、第１の製品情報と関連する第２の製品情報の以前に選択された選択可能属性値を検索するために使用される、選択可能属性値検索サブユニットと、
【００７８】
属性識別子および選択可能属性値検索サブユニットによって見出された選択可能属性値をウェブブラウザに送るために使用される、選択可能属性値送りサブユニットと、
【００７９】
事前に設定された属性の属性識別子とユーザによって選択される属性値との間の対応関係を、ウェブブラウザから受け取るために使用される、属性情報受け取りサブユニットと、である。
【００８０】
１つの実施形態では、情報送りユニット２４が含むのは、
【００８１】
情報検索ユニット２３によって見出された第２の製品情報の各片に対応するそれぞれの推薦レベルを判定するために使用される、推薦レベル判定サブユニットと、
【００８２】
推薦レベル判定サブユニットによって事前に設定された条件を満足させると判定されたそれぞれの推薦レベルを有する第２の製品情報片を、情報検索ユニット２３によって見出された前記第２の製品情報の各片から選択するために使用される、情報選択サブユニットと、
【００８３】
情報選択サブユニットによって選択された第２の製品情報片を、ユーザによって使用されるウェブブラウザに送るための情報送りサブユニットと、である。
【００８４】
第４の実施形態
上に記述された情報提供方法に対応して、本開示の第４の実施形態はウェブブラウザを提供する。図３に示されるその構造に含まれるのは、
【００８５】
属性情報をユーザが閲覧を要請するウェブページに対応するウェブサーバから受け取るために使用される情報受け取りユニット３１であって、属性情報はウェブページに対応する第１の製品情報と関連する第２の製品情報の属性情報である、情報受け取りユニットと、
【００８６】
情報受け取りユニット３１によって受け取られた第２の製品情報を、ユーザに提供するためにウェブページに含めるために使用される、情報提供ユニット３２と、である。
【００８７】
いくつかの実施形態では、情報受け取りユニット３１は、ウェブサーバによって送られ、そしてユーザが閲覧を要請するウェブページに対応する、属性情報を含むウェブページを受け取るために使用され得る。
【００８８】
情報受け取りユニットによって受け取られるウェブページをユーザに提供するために使用される、情報提供ユニット３２。
【００８９】
１つの実施形態では、ウェブブラウザがさらに含むのは、
【００９０】
情報受け取りユニット３１が属性情報をウェブサーバから受け取る前に、ユーザが閲覧を要請するウェブページをウェブサーバから受け取るために使用される、ウェブページ受け取りユニットと、
【００９１】
ウェブページ受け取りユニットによって受け取られたウェブページを、ユーザに提供するために使用される、ウェブページ提供ユニットと、
【００９２】
ウェブページに対応する第１の製品情報と関連する第２の製品情報が、ユーザに提示されることが必要があるかどうかを判定するために使用される、表示判定ユニットと、
【００９３】
表示判定ユニットが、ウェブページに対応する第１の製品情報と関連する第２の製品情報がユーザに提示されることが必要であると判定したとき、第１の製品情報の情報識別子を、ウェブサーバに送られる照合要請内に含めるために使用される、照合要請送りユニットと、である。
【００９４】
いくつかの実施形態では、ウェブブラウザがさらに含むのは、
【００９５】
情報受け取りユニット３１がウェブページサーバから属性情報を受け取る前に、ウェブページサーバから属性識別子および対応する選択可能属性値を受け取るために使用される、属性受け取りサブユニットと、
【００９６】
属性識別子と属性受け取りサブユニットによって受け取られた選択可能属性値との間の対応関係をユーザに提供するために使用される、属性提供サブユニットと、
【００９７】
ユーザによって選択される属性値を、各事前に設定された属性についてそれぞれの選択可能属性値から取得するために使用される、属性入手サブユニットと、
【００９８】
事前に設定された属性の属性識別子とユーザによって選択される属性値との間の対応関係を、第１の製品情報に関連する第２の製品情報の属性情報として、ウェブサーバに送るために使用される属性送りサブユニットと、である。
【００９９】
１つの実施形態では、表示判定ユニットが含むのは、
【０１００】
ユーザカーソルのウェブページ内の位置を監視するために使用される位置監視サブユニットと、
【０１０１】
位置監視サブユニットがウェブページ内のユーザカーソルの位置が事前に設定された領域内に位置決めされていることを検出したとき、ウェブページに対応する第１の製品情報と関連する第２の製品情報がユーザに対して提示されることが必要とされると判定するために使用される、第１の表示判定サブユニットと、である。
【０１０２】
いくつかの実施形態では、表示判定ユニットが含むのは、
【０１０３】
ユーザの照合要請を受け取るために使用される照合要請受け取りサブユニットと、
【０１０４】
照合要請受け取りサブユニットがユーザの照合要請を受け取った後、ウェブページに対応する第１の製品情報と関連する第２の製品情報がユーザに提示されることが必要であると判定するために使用される、第２の表示判定サブユニットと、である。
【０１０５】
１つの実施形態では、情報提供ユニット３２は、情報受け取りユニット３１によって受け取られた第２の製品情報をポップアップウィンドウ内に置き、そしてポップアップウィンドウをウェブページ内に提示するために使用され得る。
【０１０６】
当業者は、本開示の実施形態は、方法、装置（デバイス）、またはコンピュータソフトウェアの製品として実装され得ることを理解されるであろう。それゆえ、本開示はハードウエア、ソフトウェア、またはハードウエアとソフトウェアの組み合わせの形で実装され得る。さらに、本開示は、コンピュータ可読プログラム命令を含む１つ以上のコンピュータ可読記憶媒体（限定されないが、ディスク記憶デバイス、ＣＤ−ＲＯＭ、光学記憶デバイス等を含む）上で実行可能なコンピュータソフトウェアの製品の形で実装され得る。
【０１０７】
本開示は、模範的方法、装置（デバイス）およびコンピュータプログラム製品のフローチャートおよび／またはブロック図に従って、記述される。各プロセスおよび／またはブロック、およびフローチャートおよび／またはブロック図のプロセスおよび／またはブロックの組み合わせは、コンピュータプログラム命令の形で実装され得ることを理解されたい。そのようなコンピュータプログラム命令は、汎用コンピュータ、特殊目的コンピュータ、埋め込みプロセッサ、または機械を生成するためにプログラム可能データ処理デバイスを有する別の処理装置に提供され得、それにより、フローチャートの１つ以上のプロセス内に記述される１つ以上のブロックおよび／またはブロック図の１つ以上のブロックに表示される機能を有する装置は、コンピュータによって、またはプログラム可能データ処理デバイスを有する他の処理装置によって命令を実行することにより、実装され得る。
【０１０８】
そのようなコンピュータプログラム命令は、コンピュータまたは別のプログラム可能データ処理装置に対して特定の形で機能され得るコンピュータ可読メモリデバイスにも記憶され得、したがって、命令装置を含む製品は、コンピュータ可読メモリデバイス内に記憶された命令に基づいて構築され得る。命令デバイスは、フローチャートの１つ以上のプロセスおよび／またはブロック図の１つ以上のブロックによって表示される機能を実装する。
【０１０９】
コンピュータプログラム命令は、コンピュータまたは別のプログラム可能データ処理装置へもロードされ得、したがって、一連の操作はコンピュータまたは他のデータ処理装置によって実行されてコンピュータ実装処理を生成し得る。それゆえ、コンピュータまたは他のプログラム可能装置によって実行される命令は、フローチャートの１つ以上のプロセスおよび／またはブロック図の１つ以上のブロックを実装するために使用され得る。
【０１１０】
例えば、図４は、上に記述されたようなウェブサーバ等の、模範的ウェブサーバ４００をより詳細に図解する。１つの実施形態では、ウェブサーバ４００は、それらに限定されないが、１つ以上のプロセッサ４０１、ネットワークインターフェース４０２、メモリ４０３、および入力／出力インターフェース４０４を含むことが可能である。
【０１１１】
メモリ４０３は、ランダムアクセスメモリ（ＲＡＭ）等の揮発性メモリ、および／または読み取り専用メモリ（ＲＯＭ）もしくはフラッシュＲＡＭ等の不揮発性メモリの形態で、コンピュータ可読媒体を含み得る。メモリ４０３は、コンピュータ可読媒体の例である。
【０１１２】
コンピュータ可読媒体には、コンピュータ可読命令、データ構造、プログラムモジュール、または他のデータ等の、情報の記憶のための任意の方法または技術で実装される、揮発性及び不揮発性、取り外し可能および取り外し不可能媒体を含む。コンピュータ記憶媒体の例は、これらに限定されないが、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読み取り専用メモリ（ＲＯＭ）、電気的消去可能プログラム式読み取り専用メモリ（ＥＥＰＲＯＭ）、フラッシュメモリまたは他のメモリ技術、コンパクトディスク読み出し専用メモリ（ＣＤ−ＲＯＭ）、デジタル汎用ディスク（ＤＶＤ）、または他の光学記憶装置、磁気カセット、磁気テープ、磁気ディスク記憶装置または他の磁気記憶デバイス、またはコンピューティングデバイスによるアクセスのための情報を記憶するために使用可能な任意の他の非一時的媒体を含む。本明細書中に定義されるように、コンピュータ可読媒体は、変調されたデータ信号および搬送波等の一時的媒体は含まない。
【０１１３】
メモリ４０３は、プログラムユニット４０５およびプログラムデータ４０６を含み得る。１つの実施形態では、プログラムユニット４０５はウェブページアクセス要請受け取りユニット４０７、属性情報入手ユニット４０８、情報検索ユニット４０９および情報送りユニット４１０を含み得る。さらに、いくつかの実施形態では、プログラムユニット４０５は、ユーザ情報入手ユニット４１１、命令情報判定ユニット４１２、第１のウェブページ検索ユニット４１３、第２のウェブページ検索ユニット４１４、ウェブページ送りユニット４１５および／または照合要請受け取りユニット４１６をさらに含み得る。１つの実施形態では、属性情報入手ユニット４０８は、選択可能属性値検索サブユニット４１７、選択可能属性値送りサブユニット４１８および属性情報受け取りサブユニット４１９を含み得る。いくつかの実施形態では、情報送りユニット４１０は、推薦レベル判定サブユニット４２０、情報選択サブユニット４２１および情報送りサブユニット４２２を含み得る。これらのプログラムユニットおよび任意のサブユニットおよび／またはそのモジュールに関する詳細は、上述の先行実施形態に見出され得る。
【０１１４】
本開示の模範的実施形態が提供されるが、当業者は、その基礎をなす発明概念を理解することにより、これらの模範的実施形態を変更および修正し得る。それゆえ、本明細書添付の請求項は、模範的実施形態および本開示の範囲に入るすべての変更および修正をカバーすることが意図されている。明白であるが、当業者は、本開示の精神および範囲から逸脱することなく、本出願の変更および修正を行い得る。これらの変更および修正が請求項および本開示の同等項目の範囲内である場合には、本開示はそのような変更および修正を包含することを意図する。
【図１】
2015518609.tif 000004
【図２】
2015518609.tif 000005
【図３】
2015518609.tif 000006
【図４】
2015518609.tif 000007
【国際調査報告】
2015518609.tif 000008